(57)【要約】【課題】昇木時に胴綱が樹木から滑って作業者が落下するのを防止できる胴綱用滑り止め具を提供すること。【解決手段】昇木時に用いる胴綱用滑り止め具１であって、樹木当接面２２及び該樹木当接面２２に形成された複数の貫通穴２３を有する筒状容器２と、前記筒状容器２の内部に収容される板状部材３１、及び該板状部材３１における前記樹木当接面２２側に配置される面に設けられ前記複数の貫通穴２３から突出可能な複数のとげ部３２を有する滑り止め部３と、前記滑り止め部３を樹木当接面２２から離れる方向に付勢する付勢部材４と、前記筒状容器２の内部における前記板状部材３１の他方の面側に設けられ前記胴綱７を挿通可能な胴綱挿通空間５と、前記筒状容器２の両端面に形成され、前記胴綱７を挿通可能な一対の胴綱挿通穴６と、を備える。【選択図】図１
2015043941.tif 000002
【特許請求の範囲】
【請求項１】
昇木時に用いる胴綱用滑り止め具であって、
樹木当接面及び該樹木当接面に形成された複数の貫通穴を有する筒状容器と、
前記筒状容器の内部に収容される板状部材、及び該板状部材における前記樹木当接面側に配置される面に設けられ前記複数の貫通穴から突出可能な複数のとげ部を有する滑り止め部と、
前記滑り止め部を樹木当接面から離れる方向に付勢する付勢部材と、
前記筒状容器の内部における前記板状部材の他方の面側に設けられ胴綱を挿通可能な胴綱挿通空間と、
前記筒状容器の両端面に形成され、前記胴綱を挿通可能な一対の胴綱挿通穴と、を備える胴綱用滑り止め具。
【請求項２】
前記筒状容器は、容器本体と、前記胴綱を着脱するための蓋部と、を備える請求項１に記載の胴綱用滑り止め具。
【請求項３】
前記樹木当接面及び前記板状部材の一方の面の長手方向の断面は、凹状に湾曲した形状を有する請求項１又は２に記載の胴綱用滑り止め具。
【請求項４】
前記板状部材の他方の面の幅方向の断面は、凹状に湾曲した形状を有する請求項１から請求項３までのいずれか１項に記載の胴綱用滑り止め具。
【請求項５】
前記筒状容器の重心は、該筒状容器の長手方向を水平方向に沿わせた場合における高さ方向の一方に偏っている請求項１から請求項４までのいずれか１項に記載の胴綱用滑り止め具。
【発明の詳細な説明】
【技術分野】
【０００１】
本発明は、昇木時に使用する胴綱用滑り止め具に関する。特に、昇木時に胴綱が樹木から滑って作業者が落下するのを防止できる胴綱用滑り止め具に関する。
【背景技術】
【０００２】
従来、送電線の周囲で樹木が大きく伸びて送電線に接触した場合、送電障害が生じて大規模な停電が発生する。このような事故を避けるために、電力会社は定期的に送電線の周囲で接触しそうな樹木を伐採したり、伐採できない樹木に対しては、昇木して樹木の枝打ちを行ったりして送電線と樹木とのクリアランスを確保している。
【０００３】
一般に、樹木の枝打ちのため、作業者が昇木して作業を行うには、昇木の用具として、腰に装着する安全帯と、足に装着する爪付き金具（以下、「ガニ」と記す。）と、を併用して行っている。安全帯は、樹木と人体との間に張るワイヤーロープと、該ワイヤーロープが連結された胴ベルトと、を備える。ガニは、足袋状の足底に鉄製の爪を外側と内側に備えたものである。
【０００４】
一般に、このような昇木の用具を用いて樹木に昇木する方法としては、作業者は、腰に胴ベルトを巻き、樹木の外周にワイヤーロープを回して両端部を胴ベルトに連結する。そして、ワイヤーロープを両手で緊張させた状態で、両足に装着したガニの鉄製の爪を樹木に刺し込みながら左の足で一歩、右の足で一歩と樹木を登る。そして、ワイヤーロープを両手で瞬間的にすくい上げて、樹木に掛けるワイヤーロープの位置を順次上げて行く。このような動作を繰り返しながら樹木を登る。このように、胴ベルトに連結されたワイヤーロープの連結箇所を支点とし、樹木に掛けるワイヤーロープの張力を利用して樹木を登る方法である（例えば、特許文献１参照）。
【先行技術文献】
【特許文献】
【０００５】
【特許文献１】特開２０１０−７５５９７号公報
【発明の概要】
【発明が解決しようとする課題】
【０００６】
従来、特許文献１に記載の安全帯を使用して樹木に登って作業する場合、次に示すような問題が指摘されている。すなわち、樹木への昇降時や停止時に足に履いているガニの爪が樹木から外れ、樹木の周りに配したワイヤーロープが緩んだ状態になって墜落する危険がある。また、ワイヤーロープを両手ですくい上げるとき、バランスを崩してガニの爪が樹木から外れ、ワイヤーロープの張力が緩んだまま、或いはワイヤーロープと樹木との摩擦が小さいため、ワイヤーロープが滑って墜落する危険がある。
【０００７】
本発明は、このような問題を解決するためになされたもので、昇木時に胴綱（ワイヤーロープ）が樹木から滑って作業者が落下するのを防止する胴綱用滑り止め具を提供することを目的とする。
【課題を解決するための手段】
【０００８】
本発明は、昇木時に用いる胴綱用滑り止め具であって、樹木当接面及び該樹木当接面に形成された複数の貫通穴を有する筒状容器と、前記筒状容器の内部に収容される板状部材、及び該板状部材における前記樹木当接面側に配置される面に設けられ前記複数の貫通穴から突出可能な複数のとげ部を有する滑り止め部と、前記滑り止め部を樹木当接面から離れる方向に付勢する付勢部材と、前記筒状容器の内部における前記板状部材の他方の面側に設けられ前記胴綱を挿通可能な胴綱挿通空間と、前記筒状容器の両端面に形成され、前記胴綱を挿通可能な一対の胴綱挿通穴と、を備える胴綱用滑り止め具に関する。
【０００９】
この発明によれば、胴綱用滑り止め具は、樹木当接面及び該樹木当接面に形成された複数の貫通穴を有する筒状容器と、前記筒状容器の内部に収容される板状部材、及び該板状部材における前記樹木当接面側に配置される面に設けられ前記複数の貫通穴から突出可能な複数のとげ部を有する滑り止め部と、前記滑り止め部を前記樹木当接面から離れる方向に付勢する付勢部材と、前記筒状容器の内部における前記板状部材の他方の面側に設けられ前記胴綱を挿通可能な胴綱挿通空間と、前記筒状容器の両端面に形成され、前記胴綱を挿通可能な一対の胴綱挿通穴と、を備える。これにより、昇木時に用いる胴綱に体重を掛けたときには筒状容器の貫通孔からとげ部が突出して樹木に刺し込まれる。また、胴綱に体重を掛けないときは筒状容器の貫通孔から突出して樹木に刺し込まれたとげ部が後退する。このように、胴綱に体重を掛けることで、とげ部が樹木に刺し込まれるから樹木から滑って落下する心配がない。また、とげ部が常時出ていないから、筒状容器を胴綱を使って瞬時にすくい上げるときに、とげ部が樹木に引っ掛かり筒状容器が上げづらくなるような心配はない。
【００１０】
また、本発明は、前記筒状容器が容器本体と、前記胴綱を着脱するための蓋部と、を備える胴綱用滑り止め具に関する。
【００１１】
この発明によれば、筒状容器は、容器本体と、胴綱を着脱するための蓋部と、を備える。これにより、容器本体の蓋部を開閉して胴綱を着脱することができ、既存の胴綱も使用できる。また、容器本体から胴綱を簡単に分離することができ、しかも容器本体自体がコンパクトで持ち運びに便利である。
【００１２】
また、本発明は、前記樹木当接面及び前記板状部材の一方の面の長手方向の断面が凹状に湾曲した形状に形成されていることが好ましい。
【００１３】
この発明によれば、樹木当接面及び板状部材の一方の面の長手方向の断面を凹状に湾曲した形状に形成した。これにより、とげ部がある面を樹木面側に向けることができる。
【００１４】
また、本発明は、前記板状部材の他方の面の幅方向の断面が凹状に湾曲した形状に形成されていることが好ましい。
【００１５】
この発明によれば、板状部材の他方の面の幅方向の断面を凹状に湾曲した形状に形成した。これにより、昇木時の移動のとき、両手で筒状容器をすくい上げるように胴綱を上に瞬時に移動させたきに、自然に胴綱を湾曲面の最下点に移動させることができ、とげ部がある面を樹木面側に向けることができる。
【００１６】
また、本発明は、前記筒状容器の重心は、該筒状容器の長手方向を水平方向に沿わせた場合における高さ方向の一方に偏るように構成することが好ましい。
【００１７】
この発明によれば、筒状容器の重心を該筒状容器の長手方向を水平方向に沿わせた場合における高さ方向の一方に偏るように構成した。すなわち、容器本体の重心を容器の下縁側に置くようにした。これにより、昇木時の移動のとき、両手で筒状容器をすくい上げるように胴綱を上に瞬時に移動させたきに、とげ部がある面を樹木面側に向けることができる。
【発明の効果】
【００１８】
本発明によれば、昇木時に胴綱が樹木から滑って作業者が落下するのを防止することができる。
【図面の簡単な説明】
【００１９】
【図１】本発明の実施形態に係る胴綱用滑り止め具を示す外観斜視図である。
【図２】本発明の実施形態に係る胴綱用滑り止め具を示す平面断面図である。
【図３】本発明の実施形態に係る胴綱用滑り止め具を示す横断面図である。
【図４】本発明の実施形態に係る胴綱用滑り止め具の使用方法を示す図である。
【図５】本発明の実施形態に係る胴綱用滑り止め具の胴綱の着脱方法を示す図である。
【図６】本発明の実施形態に係る胴綱用滑り止め具の使用例を示す図である。
【発明を実施するための形態】
【００２０】
以下、本発明の胴綱用滑り止め具の好ましい実施形態について、図面を参照して説明する。
[胴綱用滑り止め具の構成]
最初に、本発明の実施形態に係る胴綱用滑り止め具の構成につき、図１〜図３を参照して説明する。本発明の胴綱用滑り止め具１は、樹木に昇木するときに胴綱を胴綱用滑り止め具１に装着して使用する。本発明の実施形態に係る胴綱用滑り止め具１は、図１及び図２に示すように、筒状容器２と、滑り止め部３と、付勢部材４と、胴綱挿通空間５と、胴綱挿通穴６と、を備える。
【００２１】
筒状容器２は、図１〜図３に示すように、容器本体２１と、樹木当接面２２と、複数の貫通穴２３と、蓋部２４と、を備える。この筒状容器２は、本発明の胴綱用滑り止め具１の全ての構成品を収容する筒状の容器で、樹木当接面２２側が長手方向に湾曲し、両端は平坦面であり、その他の外周面は曲面である。そして、樹木当接面２２側を樹木に向くようにしたとき、この姿勢で下側となる位置に重心を配置する。また、筒状容器２は、全体的に丈夫で、かつ軽量化が必要であるから、マグネシウム合金などの軽量化金属又は、炭素繊維を用いた炭素繊維強化プラスチックなどで形成されることが望ましい。
【００２２】
容器本体２１は、図１〜図３に示すように、筒状に形成される。樹木当接面２２は、前記容器本体２１の樹木に当接する側に形成される面である。この樹木当接面２２は、図３に示すように、横断面は直線状に形成されるが、図２に示すように長手方向の断面は凹状に湾曲した形状に形成される。貫通穴２３は、前記樹木当接面２２を貫通して複数形成される。蓋部２４は、前記樹木当接面２２側を樹木に向くようにしたとき、この姿勢で前記容器本体２１の下側に設けられる。この蓋部２４は、前記容器本体２１の上側に設けることも可能である。
【００２３】
滑り止め部３は、図２及び図３に示すように、板状部材３１と、複数のとげ部３２と、を備える。また、滑り止め部３も全体的に丈夫で、かつ軽量化が必要であるから、筒状容器２と同様に、軽量化金属又は強化プラスチックなどで形成されることが望ましい。
【００２４】
板状部材３１は、一方の面（樹木当接面側）の長手方向の断面が凹状に湾曲した板状に形成され、他方の面（樹木当接面とは反対側）の幅方向の断面は凹状に湾曲した形状に形成される。複数のとげ部３２は、略円錐型の形状を備えた複数の突起部材である。この略円錐型の複数の突起部材が、前記板状部材３１の一方の面の湾曲表面から幅方向に垂直に延びている。そして、この複数のとげ部３２は、突起部材の先端が潰れたり、折れたりせず、かつ、固い樹木にも突き刺さることができるよう、特に金属で形成されることが望ましい。
【００２５】
付勢部材４は、図２及び図３に示すように、前記板状部材３１の一方の面の湾曲表面と前記容器本体２１の樹木当接面２２との間に配置されるバネ部材である。この付勢部材４は、前記滑り止め部３を樹木当接面２２から離す方向に付勢する。
【００２６】
胴綱挿通空間５は、図２及び図３に示すように、前記容器本体２１の樹木当接面２２とは反対側の面と、前記板状部材３１との間に形成された略円筒状の空間である。この胴綱挿通空間５には、胴綱が挿通される。
【００２７】
胴綱挿通穴６は、図２及び図３に示すように、前記容器本体２１の両端面が長方形状に形成され、前記胴綱挿通空間５に連続してつながっている。この胴綱挿通穴６には、胴綱が挿通される。
【００２８】
[胴綱用滑り止め具を使用した昇木の方法]
次に、本発明の実施形態に係る胴綱用滑り止め具１を使用した昇木の方法について説明する。本発明の実施形態に係る胴綱用滑り止め具１の使用に当たっては、従来から用いている胴ベルトやガニなどの木登りの用具を併用するものとする。
【００２９】
最初に、本発明の実施形態に係る胴綱用滑り止め具１の使用方法について、図４を参照しながら説明する。図４（Ａ）に示すように、胴綱７が装着された胴綱用滑り止め具１を樹木８に回し、胴綱７を手前に引く（或いは胴綱７に体重を掛ける）と、複数のとげ部３２が複数の貫通穴２３から突出して樹木面に刺さる。これとは逆に、胴綱７を引く手の力を緩める（胴綱７に体重を掛けるのを止める）と、複数のとげ部３２が樹木面から抜け、複数の貫通穴２３に後退する（図４（Ｂ）参照）。
【００３０】
これは、胴綱７を手前に引く力が、滑り止め部３を樹木当接面２２から離れる方向に付勢している付勢部材４の力よりも大きいときは、この胴綱７を引く力が板状部材３１を介してとげ部３２を貫通穴２３から突出させるからである。これとは逆に、胴綱７を手前に引く力が、滑り止め部３を樹木当接面２２から離れる方向に付勢している付勢部材４の力よりも小さい場合は、この付勢部材４の力がとげ部３２を後退させるからである。
【００３１】
次に、胴綱用滑り止め具１に胴綱７を装着する方法について説明する。図５に示すように、胴綱用滑り止め具１の容器本体２１の下側にある蓋部２４を開き、胴綱７を挿入する。そして、この蓋部２４を閉じ、胴綱７を胴綱用滑り止め具１に装着する。
【００３２】
次に、胴綱用滑り止め具１を使用した昇木の方法について、図６を参照しながら説明する。作業者は、胴綱用滑り止め具１が装着された胴綱７を胴ベルトに連結し、当該胴ベルトを腰に装着する。足にはガニ９を装着する。
先ず、作業者は、胴綱用滑り止め具１が装着された胴綱７の一端を樹木８に回して、銅ベルトに連結する。そして、図６（Ａ）に示すように、両足はガニ９の爪でしっかりと樹木８に固定し、筒状容器２の樹木当接面２２を樹木８に当てながら、胴綱７に体重を掛けて胴綱７を緊張させる。すると、胴綱７に荷重が掛ることで、板状部材３１にも荷重が加わり、複数のとげ部３２が筒状容器２の複数の貫通穴２３から突出する。そして、複数のとげ部３２が樹木８に突き刺さることで、筒状容器２が樹木８にしっかりと固定される。この状態において、作業者は足周りも、腰周りも安定した状態にある。
【００３３】
次に、両手でしっかりと胴綱７を引いた状態で、図６（Ｂ）に示すように、右足はしっかり樹木に固定させたまま、左足で一歩登る。次に、同じように、両手でしっかりと胴綱を引いた状態で、図６（Ｃ）に示すように、左足はしっかりと樹木に固定させたまま、右足で一歩登る。
【００３４】
次に、両足はガニ９の爪でしっかりと樹木８に固定しながら、図６（Ｄ）に示すように、瞬時に両手で胴綱７を緩め、両手で胴綱７をすくいあげる。このとき、筒状容器２の重心位置は、該筒状容器２の下側に偏るように形成されているから、筒状容器２の樹木当接面２２は、安定して樹木８側を向くことになる。そして、再度胴綱７に体重を掛けて胴綱７を緊張させ、筒状容器２の複数の貫通穴２３から複数のとげ部３２を突出させて、筒状容器２を樹木８にしっかりと固定させる（図６（Ａ）参照）。
【００３５】
以上の動作を繰り返すことで、作業者は左右の足で一歩ずつ樹木８を登ることができ、樹木８の所定の高さまで、安全かつ容易に登ることができる。
【００３６】
以上説明した実施形態の胴綱用滑り止め具１によれば、以下のような効果を奏する。
（１）胴綱用滑り止め具１を、筒状容器２と、該筒状容器２の内部に収容され、板状部材３１と複数のとげ部３２とを有する滑り止め部３と、該滑り止め部３を付勢する付勢部材４と、筒状容器２の内部に設けられ胴綱７を挿通可能な胴綱挿通空間５と、筒状容器２の両端面に形成され、胴綱７を挿通可能な一対の胴綱挿通穴６と、を含んで構成した。これにより、胴綱７を胴綱用滑り止め具１に装着した後、胴綱７を樹木８に回して、胴ベルトに連結可能となる。そして、筒状容器２の樹木当接面２２を樹木８に当てながら、胴綱７に体重を掛けて胴綱７を緊張させる。そうすると、胴綱７に荷重が掛ることで、複数のとげ部３２が筒状容器２の複数の貫通穴２３から突出し、樹木８に刺さり、筒状容器２が樹木８にしっかりと固定できる。このように、作業者は足周りも、腰周りも安定した状態に保つことができる。これにより、胴綱７が滑ることによる樹木８からの落下を防止することができ、安全にかつ簡単に樹木を登ことができる。また、複数のとげ部３２が常時出ていないから、筒状容器２を胴綱７を使ってすくい上げるときに、複数のとげ部３２が樹木８に引っ掛かり筒状容器２が上げづらくなるような心配はない。また、作業時に胴綱７が滑る心配がないから、樹木上での作業に専念できる。さらに、樹木８の種類によらず使用することができる。
【００３７】
（２）筒状容器２を、容器本体２１と、胴綱７を着脱するための蓋部２４と、を含んで構成した。これにより、既存の胴綱でも簡単に胴綱用滑り止め具１に着脱可能である。また、容器本体２１から胴綱７を簡単に分離することができ、しかも容器本体自体がコンパクトで持ち運びに便利である。
【００３８】
（３）樹木当接面２２及び板状部材３１の一方の面の長手方向の断面を凹状に湾曲した形状に形成した。これにより、筒状容器２の樹木当接面２２が樹木８側を向くようにすることができる。
【００３９】
（４）板状部材３１の他方の面の幅方向の断面を凹状に湾曲した形状に形成した。これにより、昇木時の移動のとき、両手で筒状容器２をすくい上げるように胴綱７を上に瞬時に移動させたきに、自然に胴綱７を湾曲面の最下点に移動させることができ、筒状容器２の樹木当接面２２が樹木８側を向くようにすることができる。
【００４０】
（５）筒状容器２の重心は、該筒状容器２の長手方向を水平方向に沿わせた場合における高さ方向の一方に偏るように構成した。すなわち、筒状容器２の重心を容器本体２１の下縁側に置くようにした。これにより、昇木時の移動のとき、両手で筒状容器２をすくい上げるように胴綱７を上に瞬時に移動させたきに、筒状容器２の重心が下側にあるから、筒状容器２の樹木当接面２２が樹木８側を向くようにすることができる。
【００４１】
以上、本発明の胴綱用滑り止め具１の好ましい一実施形態について説明したが、本発明は、上述した実施形態に制限されるものではなく、適宜変更が可能である。
【符号の説明】
【００４２】
１    胴綱用滑り止め具
２    筒状容器
２１  容器本体
２２  樹木当接面
２３  貫通穴
２４  蓋部
３    滑り止め部
３１  板状部材
３２  とげ部
４    付勢部材
５    胴綱挿通空間
６    胴綱挿通孔
７    胴綱
８    樹木
９    ガニ
【図１】
2015043941.tif 000003
【図２】
2015043941.tif 000004
【図３】
2015043941.tif 000005
【図４】
2015043941.tif 000006
【図５】
2015043941.tif 000007
【図６】
2015043941.tif 000008